(57)【要約】【課題】カメラ用シャッタ装置において、シャッタの高速化を図る。【解決手段】露光用の開口部１１，２１を画定する基板１０，２０、基板に対して回動自在に支持され開口部１１，２１を全開し得る開口３２をもつ遮光板（円板）３０、遮光板を駆動する駆動機構を備え、遮光板３０が開口部１１，２１を全開した初期位置から閉鎖位置に向かって遮光動作を行う際に、遮光板３０の開口３２は、初期位置から所定の移動範囲に亘って、開口部１１，２１を全開した状態を維持するように円弧状の長孔に形成されている。これにより、遮光板３０は、移動を開始してから所定の速度に達した時点で、遮光動作を開始するため、完全な遮光状態に至るまでの時間が短縮され、シャッタの高速化が可能になる。【選択図】  図１ 
2005283723.tif 000002
【特許請求の範囲】
【請求項１】
露光用の開口部を画定する基板と、前記基板に対して往復動自在に支持され前記開口部を全開し得る開口をもつ遮光板と、前記遮光板を駆動する駆動機構と、を備え、前記開口部を全開した初期位置から閉鎖位置に向かって遮光動作を行うカメラ用シャッタ装置であって、
前記遮光板は、前記基板に対して回動自在に支持された円板であり、
前記円板の開口は、前記初期位置から所定の回転角度範囲に亘って、前記開口部を全開した状態を維持するように形成されている、
ことを特徴とするカメラ用シャッタ装置。
【請求項２】
前記露光用の開口部は、円孔に形成され、
前記円板の開口は、円弧状の長孔に形成されている、
ことを特徴とする請求項１記載のカメラ用シャッタ装置。
【請求項３】
前記円板は、周方向において異なる極性に着磁されたマグネットを有し、
前記駆動機構は、前記マグネットと対向する磁極片をもつヨークと、前記ヨークの周りに巻回された励磁用のコイルと、を有する、
ことを特徴とする１又は２に記載のカメラ用シャッタ装置。
【発明の詳細な説明】
【技術分野】
【０００１】
本発明は、露光用の開口部を開閉するカメラ用シャッタ装置に関し、特に、所定軸の回りに回転する円板を備えたターレット型のカメラ用シャッタ装置に関する。
【背景技術】
【０００２】
従来のカメラ用シャッタ装置としては、露光用の開口部を有する基板、基板上の所定軸回りに回動自在に支持され周方向に配列された複数の開口を有する１つ又は２つの円板、円板を回転駆動するための歯車あるいは駆動レバー並びにステップモータを含む駆動機構等により構成されたものが知られている。
【０００３】
そして、このカメラ用シャッタ装置においては、図７に示すように、ステップモータが回転し始めると、略同時のタイミングで、歯車あるいは駆動レバー等を介して円板が回転し始めて（遮光動作を開始して）、露光用の開口部の開口面積を遅滞なく減少させて、所定時間Ｔの経過後に露光用の開口部を全閉するようになっていた（例えば、特許文献１、特許文献２、特許文献３参照）。
【０００４】
【特許文献１】特開２００２−９０８０６号公報
【特許文献２】特開平０７−１９９２７４号公報
【特許文献３】特開２０００−２２７６２０号公報
【発明の開示】
【発明が解決しようとする課題】
【０００５】
ところで、上記従来のカメラ用シャッタ装置においては、円板及び駆動機構等の慣性力が比較的大きいことから、図７に示すように、円板が露光用の開口部を閉じ始めてから完全に閉鎖する（完全遮光状態に至る）までに要する時間Ｔ（すなわち、有効露出時間）が長くかかり、シャッタの高速化には不利であった。
また、円板の駆動機構として、歯車あるいは駆動レバー等を介して、ステップモータの回転駆動力を伝達する手法を採用しているため、部品点数が多く、構造が複雑であり、装置の大型化等を招いていた。
【０００６】
したがって、全体としての小型化が要求される携帯電話機等のカメラユニットに対して、従来のカメラ用シャッタ装置を適用するのは困難であり、又、シャッタの高速化等を実現するのも困難である。それ故に、シャッタの高速化が図れ、小型で薄型のカメラ用シャッタ装置が望まれていた。
【０００７】
本発明は、上記従来技術の事情に鑑みて成されたものであり、その目的とするところは、構造の簡略化、小型化、薄型化等を図りつつ、特に携帯電話機、携帯型パーソナルコンピュータ、ＰＤＡ等の携帯情報端末装置に適用するのに好適なカメラ用シャッタ装置を提供することにある。
【課題を解決するための手段】
【０００８】
本発明のカメラ用シャッタ装置は、露光用の開口部を画定する基板と、基板に対して往復動自在に支持され開口部を全開し得る開口をもつ遮光板と、遮光板を駆動する駆動機構と、を備え、開口部を全開した初期位置から閉鎖位置に向かって遮光動作を行うカメラ用シャッタ装置であって、上記遮光板は、基板に対して回動自在に支持された円板であり、円板の開口は、初期位置から所定の回転角度範囲に亘って、開口部を全開した状態を維持するように形成されている、ことを特徴としている。
この構成によれば、円板（遮光板）は、露光用の開口部を全開した初期位置から回転し始め、所定の回転角度範囲に亘ってその全開状態を維持し、その後に開口部を閉鎖し（開口面積を減少させ）始める。すなわち、円板が回転し始めてから所定の速度に達した時点で、遮光動作を開始するため、完全な遮光状態に至るまでの時間が短縮され、ターレット型のシャッタ装置において、シャッタの高速化が可能になる。
【０００９】
上記構成において、露光用の開口部は、円孔に形成され、円板の開口は、円弧状の長孔に形成されている、構成を採用することができる。
この構成によれば、円板に形成された長孔の一端縁部が開口部の縁部に近接した初期位置から、円板が回転し始めて、長孔の他端縁部が開口部の対向する側の縁部に近接するまでの回転角度範囲において、全開状態が維持される。このように、開口部を全開した状態を維持するべく、円板に設ける開口の形状として、円弧状の長孔を採用するだけでよいため、装置の薄型化、小型化が達成される。
【００１０】
上記構成において、円板は、周方向において異なる極性に着磁されたマグネットを有し、駆動機構は、マグネットと対向する磁極片をもつヨークと、ヨークの周りに巻回された励磁用のコイルと、を有する、構成を採用することができる。
この構成によれば、コイルに通電されると、ヨークの磁極片にＮ極及びＳ極が生じ、この磁極片と対向するマグネットとの間に磁気的吸引及び反発を生じて、円板は所定の角度を回転する。したがって、円板の開口が露光用の開口部に臨む位置にある全開状態から、円板が回転すると、開口部が閉鎖されるシャッタ動作が行われる。
【００１１】
このように、開口をもつターレット型の円板にマグネットを設け（例えば、着磁処理により一体成形し又は別個に形成した永久磁石を円板に後付けし）、ヨークとの間で生じる磁気的吸引力及び反発力を回転駆動力として円板に直接及ぼすようにしたことで、構造が簡略化され、小型化、薄型化されたカメラ用シャッタ装置が提供される。
【発明の効果】
【００１２】
上記構成をなすカメラ用シャッタ装置によれば、遮光板（円板）の開口は、初期位置から所定の移動範囲（回転角度範囲）に亘って、開口部を全開した状態を維持するように（例えば、円弧状の長孔に）形成されているため、シャッタの高速化が達成される。また、遮光板としてターレット型の円板を採用し、この円板にマグネットを設け、ヨークとの間で生じる磁気的吸引力及び反発力を回転駆動力として円板に直接及ぼすようにすることにより、構造が簡略化され、小型化、薄型化され、携帯電話機、携帯型パーソナルコンピュータ、ＰＤＡ等の携帯情報端末装置に適用するのに好適なカメラ用シャッタ装置が得られる。
【発明を実施するための最良の形態】
【００１３】
以下、本発明の最良の実施形態について、添付図面を参照しつつ説明する。
図１ないし図５は、本発明に係るカメラ用シャッタ装置の一実施形態を示すものであり、図１は装置の外観正面図、図２及び図４は装置の内部を示す平面図、図３及び図５は装置の断面図である。
【００１４】
このカメラ用シャッタ装置は、図１ないし図５に示すように、基板としてのベース１０及びカバー２０、ベース１０に回動自在に支持された遮光板としての円板３０、ベース１０に固定されたヨーク４０、ヨーク４０にボビン５０を介して巻回された励磁用のコイル６０等を備えている。尚、ヨーク４０、コイル６０等により、円板３０を回転駆動する駆動機構が構成されている。
【００１５】
ベース１０は、図２及び図３に示すように、例えば樹脂材料を用いて略矩形形状の輪郭をなすように形成され、円孔をなす露光用の開口部１１、円板３０を回動自在に支持する軸受孔１２、円板３０を収容する収容室１３、ヨーク４０を位置決めする位置決め部１４等を備えている。
【００１６】
カバー２０は、図１ないし図５に示すように、例えば樹脂材料を用いてベース１０と略同一の輪郭をなす矩形形状に形成され、ベース１０の開口部１１と同一径の円孔をなす露光用の開口部２１、円板３０を回動自在に支持する軸受孔２２、後述する円板３０のピン３３ａを挿入して円板３０が往復動する角度範囲を規定する円弧状の長孔２３等を備えている。
ここで、ベース１０とカバー２０とは、ベース１０に対して円板３０、ボビン５０の周りに巻回されたコイル６０を保持したヨーク４０が収容された後に、ネジ等により一体的に締結される。
【００１７】
円板３０は、図２及び図３に示すように、磁性粉末を含む樹脂材料により型成形され、かつ、成型後に周方向において異なる極性をもつように（Ｎ極とＳ極とに二分するように）着磁処理が施されてマグネット（永久磁石）を有するものである。
円板３０は、支軸３１、開口部１１，２１よりも大きくかつ円弧状の長孔に形成された開口３２、厚肉の外縁部３３、外縁部３３上でかつ径方向において開口３２と並ぶ位置に突出して形成されたピン３３ａ等を備えている。
そして、支軸３１がベース１０の軸受孔１２及びカバー２０の軸受孔２２に挿入されて、円板３０はベース１０及びカバー２０に対して回動自在に支持されている。
【００１８】
円板３０の開口３２は、図２及び図４に示すように、全体として略円弧状に形成され、一端縁部３２ａが半円状に形成され、他端縁部３２ｂが回転中心線Ｌを通る直線状に形成されている。
したがって、円板３０が、図２に示すように、その開口３２が開口部１１，２１に臨む全開状態（初期位置）から反時計回りに回転すると、所定の回転角度範囲に亘って、すなわち、他端縁部３２ｂが開口部１１，２１に入り込む直前まで、その全開状態が維持されるようになっている。
【００１９】
円板３０の外周面３０ａは、図２及び図４に示すように、後述するヨーク４０の磁極片４１，４２と対向するように形成されており、円板３０のマグネット（Ｎ極及びＳ極）と磁極片４１，４２とは、円板３０の径方向において、お互いに磁気的吸引力及び反発力を生じるようになっている。
【００２０】
ピン３３ａは、長孔２３に挿入されて、長孔２３の一端縁部２３ａに当接することで、円板３０を時計回りの回転端（初期位置）に位置決めし、長孔２３の他端縁部２３ｂに当接することで、円板３０を反時計回りの回転端（閉鎖位置）に位置決めするものである。
また、ピン３３ａは、図１ないし図３に示すように、円板３０の径方向において、開口３２と一直線上に並ぶ位置に形成されている。これにより、肉抜きされた開口３２の部分をピン３３ａで補うことにより、円板３０の回転不釣合い量をできるだけ小さくすることができ、円板３０を円滑に回転させることができる。
【００２１】
ヨーク４０は、磁力線を通す磁路を画定するものであり、図２及び図４に示すように、略Ｕ字状に屈曲して形成され、その自由端側に第１磁極片４１及び第２磁極片４２、２つの磁極片４１，４２を連結する領域に直線状の連結部４３等を備えている。
第１磁極片４１及び第２磁極片４２は、所定の間隙をおいて円板３０の外周面３０ａと対向するように円弧状に形成されている。連結部４３には、二分割されたボビン５０が一体的に組み付けられ、そのボビン５０の周りにはコイル６０が巻回されている。
そして、ヨーク４０は、ボビン５０にコイル６０が巻回された状態で、ベース１０の位置決め部１４に嵌め込まれて固定されるようになっている。
【００２２】
そして、コイル６０に対して、一方向に通電されると、第１磁極片４１にＮ極（又はＳ極）が生じ、第２磁極片４２にＳ極（又はＮ極）が生じ、他方向に通電されると、第１磁極片４１にＳ極（又はＮ極）が生じ、第２磁極片４２にＮ極（又はＳ極）が生じるようになっている。
【００２３】
次に、このカメラ用シャッタ装置がデジタルカメラに適用される場合の動作について、図２ないし図６に基づいて説明する。
先ず、コイル６０への通電が断たれた非通電の状態において、図１ないし図３に示すように、ピン３３ａは長孔２３の一端縁部２３ａに当接して、円板３０は、時計回りの回転端に停止した初期位置、すなわち、開口３２が露光用の開口部１１，２１に臨んで（一端縁部３２ａが開口１１の縁部１１ａに近接して）、全開した状態にある。
このとき、円板３０のＮ極は第１磁極片４１と磁気的に吸引し合い、又、円板３０のＳ極は第２磁極片４２と磁気的に吸引し合って、円板３０は、磁気的安定位置へ向かおうとする力により付勢されて、時計回りの回転端に位置決め保持されている。
【００２４】
この全開状態において、レリーズ信号に基づき、図６に示すように、コイル６０に対して一方向に通電（オン）されると、第１磁極片４１にＮ極が生じ又第２磁極片４２にＳ極が生じる。これにより、円板３０のＮ極は第１磁極片４１と磁気的に反発し合い、又、円板３０のＳ極は第２磁極片４２と磁気的に反発し合って、円板３０は反時計回りに回転し始める。
【００２５】
そして、開口（長孔）３２の一端縁部３２ａが開口部１１の縁部１１ａに近接した初期位置から、開口（長孔）３２の他端縁部３２ｂが開口部１１の対向する側の縁部１１ｂに近接するまでの回転角度範囲（所定の移動範囲）に亘って、円板３０は開口部１１（２１）を全開した状態に維持する。また、この角度範囲を回転する間に、円板３０は加速しつつ所定レベルの回転速度に達する。
【００２６】
続いて、開口３２の他端縁部３２ｂが開口部１１（縁部１１ｂ）に重なり始める直前に、所定の制御信号に基づき、図６に示すように、撮像素子（ＣＣＤ）がオンとされて撮像を開始（電荷の蓄積を開始）する。
【００２７】
そして、所定時間Ｔ１の経過後に、開口３２（他端縁部３２ｂ）が開口部１１から外れて、図４及び図５に示すように、開口部１１が完全に閉鎖された状態（完全に遮光された状態）に至り、ピン３３ａが長孔２３の他端縁部２３ｂに当接して、円板３０は閉鎖位置に停止する。これにより、シャッタ動作が完了する。
ここで、円板３０は所定レベル以上の高速で回転するため、図６に示すように、全開から全閉に至る開口波形の傾斜角度が大きくなり、所定時間（露出時間）Ｔ１は、図７に示す従来の露出時間Ｔに比べて短くなる。したがって、シャッタの高速化が達成される。
【００２８】
そして、コイル６０への通電が断たれると、円板３０のＳ極は第１磁極片４１と磁気的に吸引し合い、又、円板３０のＮ極は第２磁極片４２と磁気的に吸引し合って、円板３０は、磁気的安定位置へ向かおうとする力により付勢されて、反時計回りの回転端（閉鎖位置）に位置決め保持される。
【００２９】
一方、この全閉状態において、コイル６０に対して逆向きに通電されると、第１磁極片４１にＳ極が生じ又第２磁極片４２にＮ極が生じる。これにより、円板３０のＳ極は第１磁極片４１と磁気的に反発し合い、又、円板３０のＮ極は第２磁極片４２と磁気的に反発し合って、円板３０は時計回りに回転して、ピン３３ａが長孔２３の一端縁部２３ａに当接して停止すると同時に、円板３０の開口３２が露光用の開口部１１，２１を全開する位置に至る。これにより、最初の全開状態に復帰する。そして、次のシャッタ動作に備えて待機することになる。
【００３０】
このように、開口３２をもつターレット型の円板３０にマグネットを設け、ヨーク４０との間で生じる磁気的吸引力及び反発力を回転駆動力として円板３０に直接及ぼすようにしたことで、装置の構造を簡略化でき、装置を小型化、薄型化することができる。
【００３１】
上記実施形態においては、円板３０の開口３２として、円弧状の長孔を採用したが、これに限定されるものではなく、初期位置から所定の回転角度範囲に亘って、開口部１１，２１を全開した状態を維持する形状であればその他の形状を採用してもよい。
【００３２】
上記実施形態においては、ヨーク４０を円板３０の外周面に対向させる場合を示したが、これに限定されるものではなく、ヨークを円板３０の回転中心線Ｌに垂直な主面に対向させるように形成した構成において、本発明を採用してもよい。
上記実施形態においては、円板３０に対して、着磁処理によりマグネットを形成したが、別個に形成されたマグネットを円板に後付けしてもよい。
【産業上の利用可能性】
【００３３】
以上述べたように、本発明のカメラ用シャッタ装置では、シャッタの高速化が達成され、又、小型化、薄型化等が達成されるため、特に小型化が要求される携帯電話機等のカメラ用シャッタ装置として使用することができるのは勿論のこと、その他のデジタルカメラにおいても有用である。
【図面の簡単な説明】
【００３４】
【図１】本発明のカメラ用シャッタ装置の一実施形態を示す外観正面図である。
【図２】図１に示すカメラ用シャッタ装置の内部を示す平面図である。
【図３】図１に示すカメラ用シャッタ装置の断面図である。
【図４】図１に示すカメラ用シャッタ装置の内部を示す平面図である。
【図５】図１に示すカメラ用シャッタ装置の断面図である。
【図６】図１に示すカメラ用シャッタ装置の動作を示すタイムチャートである。
【図７】従来のカメラ用シャッタ装置における動作を示すタイムチャートである。
【符号の説明】
【００３５】
１０  ベース（基板）
１１  露光用の開口部
１２  軸受孔
１３  収容室
２０  カバー（基板）
２１  露光用の開口部
２２  軸受孔
２３  円弧状の長孔
２３ａ  一端縁部
２３ｂ  他端縁部
３０  円板（遮光板）
３０ａ  外周面
３１  支軸
３２  開口（円弧状の長孔）
３２ａ  開口の一端縁部
３２ｂ  開口の他端縁部
３３  外縁部
３３ａ  ピン
４０  ヨーク
４１  第１磁極片
４２  第２磁極片
４３  連結部
５０  ボビン
６０  コイル
【図１】
2005283723.tif 000003
【図２】
2005283723.tif 000004
【図３】
2005283723.tif 000005
【図４】
2005283723.tif 000006
【図５】
2005283723.tif 000007
【図６】
2005283723.tif 000008
【図７】
2005283723.tif 000009